(57)【要約】【課題】  記録装置の内部にある記録媒体にデータを記録する際に、最終的な保存先である記録媒体の記録容量をユーザに意識させることができるようにする。【解決手段】  最終的な保存先となる外部記録メディア８に対応する仮想ディスクをユーザに選択させ、選択された仮想ディスクとして設定されているＨＤＤ６の記録領域にデータを記録する。このとき、ユーザにより選択された仮想ディスク（外部記録メディア８）の記録容量と、記録量計測部１１で計測された現在の記録量とを用いて、仮想ディスク（外部記録メディア８）の記録残量を計算し、記録残量が所定の残量以下になった場合、又はユーザによる指示があった場合に、データ（ファイル）を複数に分割する。その後、分割したデータを外部記録装置に転送し、この外部記録装置により外部記録メディア８へ記録する。【選択図】  図１
2006331577.tif 000002
【特許請求の範囲】
【請求項１】
データを記録する内部記録媒体と、
前記内部記録媒体に記録されたデータの保存先となる外部記録媒体の記録容量に対応した仮想記録媒体を、前記内部記録媒体に作成する作成手段と、
前記作成手段により作成された仮想記録媒体へ、入力されたデータを記録する記録手段と、
前記記録手段により前記仮想記録媒体へ記録されたデータの記録量を計測する計測手段と、
前記作成手段により作成された仮想記録媒体の記録容量と、前記計測手段により計測された記録量との差から、前記仮想記録媒体における記録残量を演算する演算手段と、
前記演算手段により演算された記録残量に応じた表示制御を表示装置に対して行う表示制御手段とを具備することを特徴とする記録装置。
【請求項２】
前記仮想記録媒体作成手段は、前記外部記録媒体に関する情報を、複数の候補の中から選択し、選択した外部記録媒体に関する情報に応じて、前記仮想記録媒体の記録容量を設定し、
前記記録手段は、前記記録容量が設定された仮想記録媒体へ、入力されたデータを記録し、
前記演算手段は、前記設定された仮想記録媒体の記録容量と、前記計測手段により計測された記録量との差から、前記仮想記録媒体における記録残量を演算することを特徴とする請求項１に記載の記録装置。
【請求項３】
前記記録手段により前記内部記録媒体へ記録されるデータを、前記演算手段により演算された記録残量に応じて分割する分割手段を有することを特徴とする請求項１又は２に記載の記録装置。
【請求項４】
前記記録手段により前記仮想記録媒体へ記録されるデータを分割する分割手段と、
前記分割手段によりなされる分割の実行指示を受け付ける分割指示受付手段とを有し、
前記分割手段は、前記演算手段により演算された記録残量が所定値になる前に、前記分割指示受付手段により分割の実行指示が受け付けられた場合と、前記演算手段により演算された記録残量が所定値になった場合に、前記記録手段により前記仮想記録媒体へ記録されるデータを分割することを特徴とする請求項１又は２に記載の記録装置。
【請求項５】
前記記録手段により前記仮想記録媒体へ記録されるデータを分割するための分割情報を作成する分割情報作成手段と、
前記分割情報作成手段により作成された分割情報を、前記演算手段により演算された記録残量に応じて前記仮想記録媒体へ記録する第２の記録手段とを有することを特徴とする請求項１又は２に記載の記録装置。
【請求項６】
前記記録手段により前記仮想記録媒体へ記録されるデータを分割するための分割情報を作成する分割情報作成手段と、
前記分割情報作成手段によりなされる分割情報の作成指示を、ユーザの操作に基づいて受け付ける作成指示受付手段とを有し、
前記分割情報作成手段は、前記演算手段により演算された記録残量が所定値になる前に、前記作成指示受付手段により分割情報の作成指示が受け付けられた場合と、前記演算手段により演算された記録残量が所定値になった場合に、前記分割情報を作成することを特徴とする請求項１又は２に記載の記録装置。
【請求項７】
前記データは、画像データであり、
前記分割情報作成手段により作成される分割情報は、チャプター情報であることを特徴とする請求項５又は６に記載の記録装置。
【請求項８】
前記仮想記録媒体の記録残量に対する警告値をユーザの操作に基づいて設定する設定手段を有し、
前記表示制御手段は、前記演算手段により演算された記録容量が、前記設定手段により設定された警告値になると、そのことを示す情報を前記表示装置に表示することを特徴とする請求項１〜７の何れか１項に記載の記録装置。
【請求項９】
前記内部記録媒体は、ＨＤＤ（Hard Disk Drive）であることを特徴とする請求項１〜８の何れか１項に記載の記録装置。
【請求項１０】
前記作成手段により作成された複数の前記仮想記録媒体のうちの何れか１つを選択する選択手段を有し、
前記記録手段は、前記選択手段により選択された仮想記録媒体へ、入力されたデータを記録することを特徴とする請求項１〜９の何れか１項に記載の記録装置。
【請求項１１】
前記作成手段は、前記仮想記録媒体に対応した管理ファイルを生成し、
前記記録手段は、前記管理ファイルに基づいて前記仮想記録媒体に対する前記データの記録を実行することを特徴とする請求項１に記載の記録装置。
【請求項１２】
記録装置の内部記録媒体に記録されたデータの保存先となる外部記録媒体の記録容量に対応した仮想記録媒体を、前記内部記録媒体に作成する作成ステップと、
前記作成ステップにより作成された仮想記録媒体へ、入力されたデータを記録する記録ステップと、
前記記録ステップにより前記仮想記録媒体へ記録されたデータの記録量を計測する計測ステップと、
前記作成ステップにより作成された仮想記録媒体の記録容量と、前記計測ステップにより計測された記録量との差から、前記仮想記録媒体における記録残量を演算する演算ステップと、
前記演算ステップにより演算された記録残量に応じた表示制御を表示装置に対して行う表示制御ステップとを有することを特徴とする記録方法。
【請求項１３】
記録装置の内部記録媒体に記録されたデータの保存先となる外部記録媒体の記録容量に対応した仮想記録媒体を、前記内部記録媒体に作成する作成ステップと、
前記作成ステップにより作成された仮想記録媒体へ、入力されたデータを記録する記録ステップと、
前記記録ステップにより前記仮想記録媒体へ記録されたデータの記録量を計測する計測ステップと、
前記作成ステップにより作成された仮想記録媒体の記録容量と、前記計測ステップにより計測された記録量との差から、前記仮想記録媒体における記録残量を演算する演算ステップと、
前記演算ステップにより演算された記録残量に応じた表示制御を表示装置に対して行う表示制御ステップとをコンピュータに実行させることを特徴とするコンピュータプログラム。
【発明の詳細な説明】
【技術分野】
【０００１】
本発明は、記録装置、記録方法、及びコンピュータプログラムに関し、特に、内部記録媒体に記録されたデータを外部記録媒体に保存するために用いて好適なものである。
【背景技術】
【０００２】
近年、映像や音楽のデジタル化が急速に進み、データ量も年々増加傾向にある。従って、映像や音楽などの膨大なデジタルデータを保存や配布することを目的とした記録媒体も大容量化の傾向にある。このような、デジタルデータの保存や配布用の記録メディアは安価、非接触、互換性を重視する傾向にあるため、光学で読み取るディスク型のメディアが一般化しつつある。
【０００３】
例えば、映像用では、ＤＶＤ（Digital Versatile Disc）、ＨＤＤＶＤ（High Definition DVD）、ＢＤ（Blu-ray Disk）、ビデオＣＤなどの記録メディアが存在する。さらに、例えばＤＶＤでも、８ｃｍ、２層構造、及び両面記録など多種多様である。これらの記録メディアの記録容量は、有限である。そのため、ユーザは目的に応じて最終的に何れの記録媒体を用いてデジタルデータを記録するのかを事前に考慮する必要がある。そして、１つの記録メディアに所望の映像が収まるように、記録した映像の編集を行うことにより、重要なシーンの映像が複数の記録メディアにまたがって記録されてしまう事態を避けなければならない。特許文献１では、長時間記録のＴＶ放送を複数の保存用メディアへ記録するとき、シーンの切り替わりを自動的に検出し、記録媒体を交換することで、シームレスな記録を実現している。
【０００４】
一方で、日常的に使用する記録媒体としては、小型化、省電力、大容量、アクセス速度、ランダムアクセス、書き換え性を重視する傾向にあるため、ＨＤＤ（Hard Disk Drive）型の記録メディアが一般化しつつある。例えば、据付型のビデオレコーダにおいては、ＨＤＤとＤＶＤの二つの記録媒体へデジタルデータを記録することができる。このような据付型のビデオレコーダでは、日常的にはＨＤＤへデジタルデータを記録しておき、保存のためにＤＶＤを利用することが多い。さらに、携帯用のビデオカメラでもＨＤＤを搭載した機器が登場している。ＨＤＤを搭載したビデオカメラは、保存や配布用に記録データを出力する出力部を備え、ビデオカメラで撮影した映像を、外部の記録編集機器にて光学メディアへ記録する。
【０００５】
【特許文献１】特開２００４−１２７４７１号公報
【発明の開示】
【発明が解決しようとする課題】
【０００６】
前述の様に、ＨＤＤを搭載したビデオカメラ（レコーダ）においては、ＨＤＤに記録した番組を、保存のためにＤＶＤにダビングすることが多い。この場合、ユーザは保存したい番組を選択してＤＶＤにダビングすることになる。しかしながら、ダビングしたい番組のデータ量の合計がＤＶＤの記録容量よりも多い場合、そのままでは全ての番組をＤＶＤにダビングすることができない。このため、ダビングする番組数を減らすか、またはダビング時にデコードしたデータを再エンコードすることで、情報量を少なくする必要があった。
【０００７】
ダイビングする番組数を減らした場合には、ユーザが一枚のディスクに保存したいと思っている全ての番組を保存することができなくなってしまうという問題がある。また、再エンコードすれば全ての番組をダビングすることが可能となるかもしれないが、再エンコード処理は実時間で行うため非常に時間がかかってしまう。
【０００８】
このように従来のレコーダでは、記録装置の内部にある記録媒体（前述した例では、ＨＤＤ）にデータを記録するに際し、ユーザは、最終的な保存先である記録媒体（前述した例では、ＤＶＤ）の記憶容量を意識することができないために、最終的な保存先である記録メディアへのデータの記録を迅速且つ確実に行うことが困難であるという問題点があった。
本発明は、このような問題点に鑑みてなされたものであり、記録装置の内部にある記録媒体にデータを記録する際に、最終的な保存先である記録媒体の記録容量をユーザに意識させることができるようにすることを目的とする。
【課題を解決するための手段】
【０００９】
本発明の記録装置は、データを記録する内部記録媒体と、前記内部記録媒体に記録されたデータの保存先となる外部記録媒体の記録容量に対応した仮想記録媒体を、前記内部記録媒体に作成する作成手段と、前記作成手段により作成された仮想記録媒体へ、入力されたデータを記録する記録手段と、前記記録手段により前記仮想記録媒体へ記録されたデータの記録量を計測する計測手段と、前記作成手段により作成された仮想記録媒体の記録容量と、前記計測手段により計測された記録量との差から、前記仮想記録媒体における記録残量を演算する演算手段と、前記演算手段により演算された記録残量に応じた表示制御を表示装置に対して行う表示制御手段とを具備することを特徴とする。
【００１０】
本発明の記録方法は、記録装置の内部記録媒体に記録されたデータの保存先となる外部記録媒体の記録容量に対応した仮想記録媒体を、前記内部記録媒体に作成する作成ステップと、前記作成ステップにより作成された仮想記録媒体へ、入力されたデータを記録する記録ステップと、前記記録ステップにより前記仮想記録媒体へ記録されたデータの記録量を計測する計測ステップと、前記作成ステップにより作成された仮想記録媒体の記録容量と、前記計測ステップにより計測された記録量との差から、前記仮想記録媒体における記録残量を演算する演算ステップと、前記演算ステップにより演算された記録残量に応じた表示制御を表示装置に対して行う表示制御ステップとを有することを特徴とする。
【００１１】
本発明のコンピュータプログラムは、記録装置の内部記録媒体に記録されたデータの保存先となる外部記録媒体の記録容量に対応した仮想記録媒体を、前記内部記録媒体に作成する作成ステップと、前記作成ステップにより作成された仮想記録媒体へ、入力されたデータを記録する記録ステップと、前記記録ステップにより前記仮想記録媒体へ記録されたデータの記録量を計測する計測ステップと、前記作成ステップにより作成された仮想記録媒体の記録容量と、前記計測ステップにより計測された記録量との差から、前記仮想記録媒体における記録残量を演算する演算ステップと、前記演算ステップにより演算された記録残量に応じた表示制御を表示装置に対して行う表示制御ステップとをコンピュータに実行させることを特徴とする。
【発明の効果】
【００１２】
本発明によれば、記録装置の内部記録媒体に記録されたデータの保存先となる外部記録媒体に対応した仮想記録媒体を作成し、作成した仮想記録媒体の記録容量と、前記仮想記録媒体へ記録された記録量との差から演算した記録残量に応じた表示制御を表示装置に対して行うようにしたので、データを内部記録媒体に記録している際に、外部記録媒体の記録容量をユーザに意識させることができる。
【発明を実施するための最良の形態】
【００１３】
次に、図面を参照しながら、本発明の実施形態について説明する。尚、以下の各実施形態では、記録装置がデジタルビデオカメラの場合を例に挙げて説明する。
（第１の実施形態）
＜システム構成＞
図１は、本実施形態の記録装置の構成の一例を示すブロック図である。
図１において、システムコントローラ１は、システムを制御するためのＣＰＵ（Central Processing Unit）、ＲＯＭ（Read Only Memory）、及びＲＡＭ（Random Access Memory）などを備えて構成されている。なお、システムコントローラ１は、図６のフローチャートを実現する機能として、例えば、記録量計測部１１、制御部１２、及びファイル分割部１３を有している。また、システムコントローラ１は、記録容量選択キー４２の操作に基づいて記録容量１０を、警告残量設定キー４３の操作に基づいて警告残量１４を、それぞれ記憶する。記録量計測部１１、制御部１２、及びファイル分割部１３における機能や、記録容量１０及び警告残量１４の記憶は、前述したＣＰＵ（Central Processing Unit）、ＲＯＭ（Read Only Memory）、及びＲＡＭ（Random Access Memory）などを用いることにより実現できる。
【００１４】
カメラ２は、画像を撮影するためのものであり、レンズ、レンズ駆動用アクチュエータ、及び受光素子などを備えて構成されている。
記録部７は、カメラ２で撮影された画像データをＨＤＤ６へ蓄積するためのデータファイルを作成し、ファイルの容量などの情報を出力する。操作キー４は、システムコントローラ１とユーザとの間のインタフェースである。
【００１５】
表示装置５は、例えば電子ビューファインダ（ＥＶＦ）としての機能を有し、撮影に必要な種々の画像を表示する。また、表示装置５は、システムコントローラ１とユーザとの間のインタフェースでもある。
ＨＤＤ６は、撮影した画像データを蓄積する。ＨＤＤ６に画像データの記録が終了した後、デジタルビデオカメラに接続された不図示の外部記録装置へファイル毎にデータを転送し、その外部記録装置にて外部記録メディア８へ記録を行う。
【００１６】
＜仮想ディスクの各種設定画面＞
本実施形態のデジタルビデオカメラでは、最終的に記録を行う外部記録メディア８を、仮想ディスクとして設定することができる。
前記仮想ディスクは、ＨＤＤ６へ記録するデータの管理単位を、仮想的に設定した外部記録メディア８の容量に合わせることで実現する。また、外部記録メディア８をユーザが選択することで、前記仮想ディスクの記録容量や記録フォーマットを自動的に設定することができる。外部記録メディア８の情報は、ユーザが、操作キー４を用いて、デジタルビデオカメラに事前に入力するようにしても良い。この他、デジタルビデオカメラと外部記録メディア８とを電気的に接続して、外部記録メディア８の情報をデジタルビデオカメラが取得しても良い。ただし、外部記録メディア８の情報をデジタルビデオカメラが取得する方法は、このような方法に限定されない。
【００１７】
前記仮想ディスクの各種設定を行うに際して、表示装置５に表示する内容の一例を、図２〜図４を参照しながら説明する。
［仮想ディスクの新規作成］
前記仮想ディスクを新規作成する場合、ユーザは操作キー４を操作することで、図２（ａ）に示す画面を呼び出すことができる。
【００１８】
図２（ａ）は、前記仮想ディスクの物理フォーマットをユーザが選択するための第１の保存用メディア作成画面の一例を示す図である。図２（ａ）において、物理フォーマット２０１〜２０５は、例えばソフトボタンである操作キー４内の記録容量選択キー４２を操作することで選択することができる。図２（ａ）に示した例では、物理フォーマットとしてＤＶＤ２０２が選択されていることを示す。さらに、記録容量選択キー４２により、決定を行うことで、図２（ｂ）に示す画面へと表示が切り替わる。
【００１９】
図２（ｂ）は、前記仮想ディスクの物理フォーマットをユーザが選択するための第２の保存用メディア作成画面の一例を示す図である。この第２の保存用メディア作成画面は、図２（ａ）に示した第１の保存用メディア作成画面で選択された物理フォーマットのさらに詳細な選択を行うための画面である。図２（ｂ）において、物理フォーマット２０７〜２１４は、操作キー４内の記録容量選択キー４２を操作することで選択することができる。図２（ｂ）に示した例では、物理フォーマットとして「１２ｃｍ  片面  １層」２０９が選択されていることを示す。さらに、記録容量選択キー４２により、決定を行うことで、図２（ｃ）に示す画面へと表示が切り替わる。
【００２０】
図２（ｃ）は、前記仮想ディスクの記録フォーマットをユーザが選択するための保存用メディア記録モード選択画面の一例を示す図である。この保存用メディア記録モード選択画面は、図２（ｂ）に示した第２の保存用メディア作成画面で選択された物理フォーマットへ記録することが可能な記録フォーマットを選択するための画面である。図２（ｃ）において、記録フォーマット２１５〜２１８は、操作キー４を操作することで選択することができる。ここで、ＨＤＤ６の空き領域に基づいて、設定可能な記録フォーマットを事前に求め、求めた設定可能な記録フォーマットのみを選択可能とし、設定が不可能な記録フォーマットについては、事前に反転表示するなどして、ユーザへ通知することが望ましい。
【００２１】
図２（ｃ）に示した例では、記録フォーマットの１つであるＸＰモード２１５は選択不可能であることを示すとともに、記録フォーマットの他の１つであるＳＰモード２０９が選択されていることを示す。また、選択された記録フォーマットにどのような特徴があるかを、この保存用メディア記録モード選択画面に表示することが望ましい。このように、選択された記録フォーマットにどのような特徴があるのかを、保存用メディア記録モード選択画面に表示することで、記録フォーマットの選択の基準をユーザに与えることができる。さらに、操作キー４により、決定を行うことで、図３（ａ）に示す画面へと表示が切り替わる。
【００２２】
図３（ａ）は、前記仮想ディスクを識別するためのタイトルをユーザが作成するための保存用メディアタイトル作成画面の一例を示す図である。この保存用メディアタイトル作成画面は、前述した手順で作成した仮想ディスクのタイトルを決定するための画面である。図３（ａ）において、タイトル入力欄２１９、ＯＫボタン２２０、及び編集ボタン２２１は、操作キー４を操作することで選択することができる。図３（ａ）に示した例では、タイトル入力欄２１９に、「運動会２」というタイトルが入力されており、このタイトルを変更しないことを示すＯＫボタン２２０が選択されている。さらに、操作キー４により、決定を行うことで、記録容量、記録フォーマット、及び前記仮想ディスクのタイトルが決定される。尚、編集ボタン２２１は、前記仮想ディスクのタイトルを変更するために選択されるボタンである。
【００２３】
図３（ｂ）は、前記仮想ディスクの（設定内容の）一覧である仮想Diskライブラリ表示画面の一例を示す図である。ユーザは、この仮想Diskライブラリ表示画面に表示されている仮想ディスク２２２、２２３の中から保存先の仮想ディスクを選択する。図３（ｂ）に示した例では、仮想ディスク２２２が選択されている。
図４（ａ）は、前記仮想ディスクの交換時期をユーザが設定するためのDisk交換時期設定画面の一例を示す図である。設定するパラメータは、「警告残量（お知らせ残量）」と「終了残量」の２個である。ここで、記録可能な残りの記録容量が終了残量になると記録を終了させる。（ここでは、一例として、記録容量を時間として示している）。また、この終了残量が警告残量以下になると、ユーザに警告が発せられる。
【００２４】
前記仮想ディスクの交換時期は、頻繁に変更が必要な項目ではない。したがって、図３（ａ）に示した保存用メディアタイトル作成画面を用いて、前記仮想ディスクを識別するためのタイトルを決定した後、このDisk交換時期設定画面を、自動的に呼び出す仕様でも、メニューから呼び出す仕様でも構わない。前記仮想ディスクの交換時期の設定は、操作キー４の内の警告残量設定キー４３を用いて行われる。図４（ａ）に示した例では、警告残量（お知らせ残量）２２４が１０分、終了残量２２５が１分に設定されている。
図４（ｂ）は、前記終了残量が前記警告残量以下になった場合に表示される警告画面の一例を示す図である。
【００２５】
＜仮想ディスクの各種設定変数＞
図５に、前記仮想ディスクを管理する仮想ディスク管理ファイルに設定される各種変数の一例を示す。
［仮想ディスクの新規作成］
図２〜図４に示した画面を用いて、前述した設定を行うことで、図５へ示す仮想ディスク管理ファイルの設定が可能となる。タイトル３０１は、図３（ａ）に示した保存用メディアタイトル作成画面を用いて設定される。記録容量３０２は、図２（ａ）に示した第１の保存用メディア作成画面、図２（ｂ）に示した第２の保存用メディア作成画面、及び図２（ｃ）に示した保存用メディア記録モード選択画面を用いて設定される。
【００２６】
図２（ｃ）に示したように、前述した例では、記録容量３０２として１２０分が設定される。記録時間３０３は、新規作成時は０（ゼロ）に設定される。警告残量（お知らせ残量）３０４及び終了残量２０５は、図４（ａ）に示したDisk交換時期設定画面を用いて設定される。図４（ａ）に示したように、前述した例では、警告残量３０４として１０分が設定され、終了残量３０５として１分が設定される。前記仮想ディスクを新規作成するたびに、図５に示したような仮想ディスク管理ファイルが作成される。したがって、仮想ディスク管理ファイルは、新規作成された仮想ディスクの数に応じて複数個作成することが可能である。また、仮想ディスク管理ファイルを識別するために、固有の仮想ディスクＩＤ３０６を作成する。
【００２７】
次に、図６のフローチャートを参照しながら、撮影画像を記録するときのシステムコントローラ１（マイクロコンピュータ）の動作の一例を説明する。なお、撮影画像の記録の前に、前述した方法により、予め仮想ディスクが１つ以上、好ましくは２つ以上作成されているものとする。
ユーザが、操作キー４により、撮影画像の記録の開始を指示すると、制御部１２は、予め作成されている仮想ディスクの中からユーザにより選択された仮想ディスクを、撮影画像の記録先となる仮想ディスクとして決定する（ステップＳ４０１）。仮想ディスクの選択は、例えば、図３（ｃ）に示した仮想Diskライブラリ表示画面と、操作キー４とを用いて行うようにすればよい。
【００２８】
次に、制御部１２は、ユーザの操作キー４の操作に基づいて、撮影画像の記録の停止が指示されたか否かを判定する（ステップＳ４０２）。この指示は、定期的に受け付けることができる。撮影画像の記録の停止が指示されると、撮影画像の記録を終了する。
【００２９】
一方、撮影画像の記録の停止が指示されていない場合、記録量計測部１１は、記録部７から出力された情報に基づいて、記録する撮影画像の容量（記録量）として、記録時間を計算する（ステップＳ４０３）。この記録時間は、図５に示した記録時間３０３から取得した値に対し、実際に記録を追加した分が加算されたものであり、この加算された値が、図５に示した仮想ディスク管理ファイルに書き戻される。
【００３０】
このようにして記録時間が計算されると、制御部１２は、記録容量１０と記録時間との差分を計算し、仮想ディスク（外部記録メディア８）における記録残量を求める（ステップＳ４０４）。記録残量が終了残量以下になったら（ステップＳ４０５）、制御部１２は、現在の仮想ディスクで記録を終了することを表示装置５に表示してユーザへ通知する（ステップＳ４０９）。そして、ファイル分割部１３は、データ（ファイル）の分割を行う（ステップＳ４１０）。
【００３１】
ステップＳ４０５の判定で、記録残量が終了残量よりも多い場合は、制御部１２は、終了残量と警告残量１４との比較を行う（ステップＳ４０６）。終了残量が警告残量１４よりも多い場合は、ステップＳ４０１へ戻る。ステップＳ４０６の判定で、終了残量が警告残量以下になった場合、制御部１２は、記録可能な残量が設定した量に達した旨の警告表示を表示装置５へ表示する（ステップＳ４０７）。このステップＳ４０７では、例えば、図４（ｂ）に示したような警告画面の表示を行う。そして、制御部１２は、ユーザによる操作キー４の操作に基づいて、データ（ファイル）の分割が指示されたか否かを判定する（ステップＳ４０８）。データ（ファイル）の分割のために、本実施形態では、強制ファイル分割キー４１を、データ（ファイル）を分割するためにユーザが操作するキーとして割り当てるようにしている。この強制ファイル分割キー４１のユーザによる操作により、データ（ファイル）の分割指示があった場合には、ステップＳ４１０へ分岐し、データ（ファイル）の分割指示が無い場合には、ステップＳ４０１へ戻る。
【００３２】
データ（ファイル）の分割を行った場合（ステップＳ４１０）、制御部１２は、次の記録先である仮想ディスクを作成するための条件をチェックし、仮想ディスクを新規に作成することが可能であるか否かを判定する（ステップＳ４１１）。この判定の結果、仮想ディスクを新規に作成することが可能であれば、制御部１２は、仮想ディスクを新規に作成する（ステップＳ４１３）。このとき、ファイルと、仮想ディスク管理変数の仮想ディスクＩＤ３０６とを関連付ける。関連付けの方法は、例えば、ファイル名を仮想ディスクＩＤとすればよい。一方、仮想ディスクを新規に作成できない場合は、制御部１２は、その旨をユーザへ通知し（ステップＳ４１２）、撮影画像の記録を終了する。
【００３３】
図７は、データの記録状態の一例を概念的に示す図である。
最初の仮想ディスク５０１において、終了残量が警告残量以下となる位置まで記録を行うと（時刻ｔ１）、例えば、図４（ｂ）に示したような警告画面を表示装置５へ表示する。その後、強制分割受付期間が経過し、ユーザの強制ファイル分割キー４１の操作による分割指示が行われた時刻ｔ２で、次の仮想ディスク５０２を作成し、記録を続ける。したがって、図７に示すＤＶＤ１用データ５０３は、ユーザの操作により分割されたものになる。また、ユーザの強制ファイル分割キー４１の操作による分割指示が無い場合、終了残量まで記録すると（時刻ｔ３）、自動的にファイルの分割を行う。したがって、図７に示すＤＶＤ２用データ５０４は、ユーザの操作により分割されたものではなく、自動的に分割されたものになる。
【００３４】
以上のように本実施形態では、最終的な保存先となる外部記録メディア８に対応する仮想ディスクをユーザに選択させ、選択された仮想ディスクとして設定されているＨＤＤ６の記録領域にデータを記録する。このとき、ユーザにより選択された仮想ディスク（外部記録メディア８）の記録容量３０２と、記録量計測部１１で計測された現在の記録量とを用いて、仮想ディスク（外部記録メディア８）の記録残量を計算し、記録残量が所定の残量以下になった場合、又はユーザによる指示があった場合に、データ（ファイル）を複数に分割する。その後、分割したデータを外部記録装置に転送し、この外部記録装置により外部記録メディア８へ記録する。
このように、ユーザにより選択された仮想ディスクに応じて、記録できるデータの容量を決定するようにしたので、ユーザは、保存や配布用に最終的に記録する外部記録メディア８の容量の知識を持っていなくても、最終的に記録する外部記録メディア８の容量を意識して撮影を行うことが可能になる。
【００３５】
また、記録量計測部１１が、実際に記録するデータのデータ量を計測するようにしたので、従来技術のように、メディアや領域の容量によってデータ量が物理的に制限されることが無く、フレキシブルに記録容量を変更することが可能である。
さらに、制御部１２が、記録可能なデータ量を記録残量として算出するようにしたので、データを仮想的に外部記録メディア８へ記録しているようにユーザに感じさせることができると共に、残量に応じた制御が可能となる。また、物理的に制限されていない領域へデータを記録することができるため、選択された仮想メディアの記録容量が余った場合、その仮想メディアの再利用が可能となる。
【００３６】
また、記録残量が終了残量以下である場合、又はユーザによる指示があった場合に、データ（ファイル）を複数に分割するようにしたので、デジタルビデオカメラに接続された外部記録装置の主導で、分割したデータ（ファイル）を外部記録装置に転送することが可能となる。さらに、記録の分割をユーザが意図して行うようにしたので、ユーザの主導でデータを記録することが可能となる。
【００３７】
また、残量が所定量に達した時点で自動的にデータ（ファイル）の分割を行うので、ユーザは安心して記録に専念することができる。さらに、記録残量が一定の量を下回った場合、警告を行うようにしたので、ユーザは記録に集中することができる。また、警告を表示する残量をユーザが設定することができるようにしたので、撮影条件に応じた警告が可能となる。
撮影画像をデジタルビデオカメラ内に記録する媒体として、ＨＤＤ６を用いたので、デジタルビデオカメラ内の記録媒体の小型化、省電力化、大容量化、アクセス速度の高速化、ランダムアクセス性を確保することができる。
【００３８】
なお、本実施形態では、複数の仮想ディスクを予め作成しておき、番組の録画（予約録画も含む）時に、作成しておいた仮想ディスクから保存先の仮想ディスクを選択するようにしたが、１つの仮想ディスクの容量が一杯になったときに新たに仮想ディスクを作成するようにしてもよい。
【００３９】
（第２の実施形態）
次に、本発明の第２の実施形態について説明する。前述した第１の実施形態では、デジタルビデオカメラの内部に記録するときに、データ（ファイル）を分割するようにした。これに対し、本実施形態では、データ（ファイル）の分割情報を分割管理ファイルへ記録し、外部記録装置と接続してデータ（ファイル）を転送する際に、データ（ファイル）を分割するようにしている。すなわち、第１の実施形態では、デジタルビデオカメラの内部への記録時にデータ（ファイル）を分割したが、本実施形態では、記録データのダビング時にデータ（ファイル）を分割するようにしている。このように、本実施形態と前述した第１の実施形態とは、データ（ファイル）を分割する方法の一部が異なるだけである。したがって、以下の説明において、前述した第１の実施形態と同一の部分については、図１〜図７に付した符号と同一の符号を付すなどして詳細な説明を省略する。
【００４０】
＜システム構成＞
図８は、本実施形態の記録装置の構成の一例を示すブロック図である。
図８において、本実施形態の記録装置は、システムコントローラ８１と、カメラ２と、記録部７と、操作キー４と、表示装置５と、ＨＤＤ６などを備えて構成されている。図１に示した記録装置のシステムコントローラ１には、ファイル分割部１３があるが、本実施形態の記録装置の、システムコントローラ８１には、分割情報作成部１５がある。
【００４１】
分割情報作成部１５は、分割管理ファイルにデータ（ファイル）の分割情報を記録しておく。そして、データの記録が終了した後、外部記録装置へデータを転送する際に、作成した分割管理ファイルに従ってデータ（ファイル）を分割し、不図示の外部記録装置へデータの転送を行う。転送されたデータは、外部記録装置にて外部記録メディア８へ記録される。
なお、仮想ディスクの各種設定画面は、図２〜図４に示したものと同じであり、仮想ディスクの各種設定変数は、図５に示したものと同じであるのでこれらについての詳細な説明を省略する。
【００４２】
図９のフローチャートを参照しながら、撮影画像を記録するときのシステムコントローラ１（マイクロコンピュータ）の動作の一例を説明する。なお、第１の実施形態と同様に、撮影画像の記録の前に、予め仮想ディスクが１つ以上作成されているものとする。また、図９のステップＳ６０１〜Ｓ６０９、Ｓ６１２〜Ｓ６１４は、図６のステップＳ４０１〜Ｓ４０９、Ｓ４１１〜Ｓ４１３と同じ処理である。
【００４３】
ユーザが、操作キー４により、撮影画像の記録を開始すると、制御部１２は、予め作成されている仮想ディスクの中からユーザにより選択された仮想ディスクを、撮影画像の記録先となる仮想ディスクとして決定する（ステップＳ６０１）
次に、制御部１２は、ユーザの操作キー４の操作に基づいて、撮影画像の記録の停止が指示されたか否かを判定する（ステップＳ６０２）。記撮影画像の記録の停止が指示されると、撮影画像の記録を終了する。
【００４４】
一方、撮影画像の記録の停止が指示されていない場合、記録量計測部１１は、記録時間を計算する（ステップＳ６０３）。次に、制御部１２は、記録容量１０と記録時間との差分を計算し、記録残量を求める（ステップＳ６０４）。記録残量が終了残量以下になったら（ステップＳ６０５）、制御部１２は、現在の仮想ディスク記録を終了することをユーザへ通知する（ステップＳ６０９）。
【００４５】
次に、分割情報作成部１５は、外部記録メディア８のタイムコードを取得する（ステップＳ６０９）。次に、分割情報作成部１５は、取得したタイムコードを分割情報として、分割管理ファイルへ記録する（ステップＳ６１１）。
次に、制御部１２は、仮想ディスクを新規に作成することが可能であるか否かを判定する（ステップＳ６１２）。この判定の結果、仮想ディスクを新規に作成することが可能であれば、制御部１２は、仮想ディスクを新規に作成する（ステップＳ６１４）。一方、仮想ディスクを新規に作成できない場合は、制御部１２は、その旨をユーザへ通知し（ステップＳ６１３）、撮影画像の記録を終了する。
【００４６】
ステップＳ６０５の判定で、記録残量が終了残量よりも多い場合は、制御部１２は、終了残量と警告残量１４との比較を行う（ステップＳ６０６）。終了残量が警告残量１４よりも多い場合は、ステップＳ６０１の判定へと戻る。ステップＳ６０５の判定で、終了残量が警告残量以下になった場合、制御部１２は、記録可能な残量が設定した量に達した旨の警告表示を表示装置５へ表示する（ステップＳ６０７）。そして、制御部１２は、ユーザによる操作キー４の操作に基づいて、データ（ファイル）の分割が指示されたか否かを判定する（ステップＳ６０８）。ユーザによる操作により、データ（ファイル）の分割指示があった場合には、前述したステップＳ６１０へ分岐し、データ（ファイル）の分割指示が無い場合には、ステップＳ６０１へ戻る。
【００４７】
以上のように本実施形態では、分割情報作成部１５は、分割管理ファイルに記録データの分割情報を記録し、外部記録装置へデータを転送する際に、作成した分割管理ファイルに従ってデータ（ファイル）を分割し、外部記録装置へデータを転送するようにしたので、第１の実施形態の効果に加え、データの分割数に応じて分割したデータを多数持たなければならなくなることを回避でき、データをより容易に管理することができるという効果がある。
【００４８】
なお、分割情報は、ＩＦＯファイルへチャプター情報として記録する方法が広く知られており、分割情報としてチャプター情報を用いても構わないが、このようにした場合には、一般的なチャプター情報とディスクの分割情報とを明確に分離して管理するために、別途設定した専用のファイルを用いて分割情報を管理した方が好ましい。
【００４９】
（本発明の他の実施形態）
なお、前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００５０】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５１】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００５２】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００５３】
なお、前述した実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５４】
【図１】本発明の第１の実施形態を示し、記録装置の構成の一例を示すブロック図である。
【図２】本発明の第１の実施形態を示し、第１及び第２の保存用メディア作成画面と、保存用メディア記録モード選択画面の一例を示す図である。
【図３】本発明の第１の実施形態を示し、保存用メディアタイトル作成画面と、仮想Diskライブラリ表示画面の一例を示す図である。
【図４】本発明の第１の実施形態を示し、Disk交換時期設定画面と、警告画面の一例を示す図である。
【図５】本発明の第１の実施形態を示し、仮想ディスク管理ファイルに設定される各種変数の一例を示す図である。
【図６】本発明の第１の実施形態を示し、撮影画像を記録するときのシステムコントローラの動作の一例を説明するフローチャートである。
【図７】本発明の第１の実施形態を示し、データの記録状態の一例を概念的に示す図である。
【図８】本発明の第２の実施形態を示し、記録装置の構成の一例を示すブロック図である。
【図９】本発明の第２の実施形態を示し、撮影画像を記録するときのシステムコントローラの動作の一例を説明するフローチャートである。
【符号の説明】
【００５５】
１  システムコントローラ
２  カメラ
４  操作キー
５  表示装置
６  ＨＤＤ
７  データ管理部
８  外部記録メディア
１０  記録容量
１４  警告残量
１１  記録量計測部
１２  制御部
１３  ファイル分割部
１５  分割情報作成部
【図１】
2006331577.tif 000003
【図２】
2006331577.tif 000004
【図３】
2006331577.tif 000005
【図４】
2006331577.tif 000006
【図５】
2006331577.tif 000007
【図６】
2006331577.tif 000008
【図７】
2006331577.tif 000009
【図８】
2006331577.tif 000010
【図９】
2006331577.tif 000011